(57)【要約】【課題】メモリの空き容量が不足した場合に、データの適切な保存・削除を行う。【解決手段】受信したデータの容量がメモリの残容量を超える場合に（Ｓ１０４）、送信元を特定する識別情報毎にデータ保護の要否及びデータ保護のパターンが登録された記憶手段に記憶されている識別情報を照合し（Ｓ１０７）、データ保護が必要な受信データをデータ保護のパターンに従って（Ｓ１０８）、部分的にメモリに保存する（Ｓ１０９）。【選択図】図２
2008210270.tif 000002
【特許請求の範囲】
【請求項１】
受信したデータをメモリに保存する機能を有する通信端末において、
送信元を特定する識別情報毎にデータ保護の要否が登録された記憶手段と、
受信したデータの容量が前記メモリの残容量を超える場合に、送信元の識別情報と前記記憶手段に登録されている識別情報とを照合し、データ保護が不要な記録済みデータを前記メモリから削除した後、受信したデータを前記メモリに保存するメモリ制御手段とを備える通信端末。
【請求項２】
受信したデータをメモリに保存する機能を有する通信端末において、
送信元を特定する識別情報毎にデータ保護の要否及びデータ保護のパターンが登録された記憶手段と、
受信したデータの容量が前記メモリの残容量を超える場合に、送信元の識別情報と前記記憶手段に登録されている識別情報とを照合し、データ保護が必要な記録済みデータを前記データ保護のパターンに従って部分的に前記メモリから削除した後、受信したデータを前記メモリに保存するメモリ制御手段とを備える通信端末。
【請求項３】
受信したデータをメモリに保存する機能を有する通信端末において、
送信元を特定する識別情報毎にデータ保護の要否及びデータ保護のパターンが登録された記憶手段と、
受信したデータの容量が前記メモリの残容量を超える場合に、送信元の識別情報と前記記憶手段に登録されている識別情報とを照合し、データ保護が必要な受信データを前記データ保護のパターンに従って部分的に前記メモリに保存するメモリ制御手段とを備える通信端末。
【請求項４】
通信端末に搭載したメモリを制御する方法において、
受信したデータの容量が前記メモリの残容量を超える場合に、送信元を特定する識別情報毎にデータ保護の要否が登録された記憶手段に登録されている識別情報を照合するステップと、データ保護が不要な記録済みデータを前記メモリから削除するステップと、
受信したデータを前記メモリに保存するステップとを備えるデータ保存方法。
【請求項５】
受信したデータを通信端末に搭載したメモリに保存する方法において、
受信したデータの容量が前記メモリの残容量を超える場合に、送信元を特定する識別情報毎にデータ保護の要否及びデータ保護のパターンが登録された記憶手段に登録されている識別情報を照合するステップと、
データ保護が必要な記録済みデータを前記データ保護のパターンに従って部分的に前記メモリから削除するステップと、
受信したデータを前記メモリに保存するステップとを備えるデータ保存方法。
【請求項６】
受信したデータを通信端末に搭載したメモリに保存する方法において、
受信したデータの容量が前記メモリの残容量を超える場合に、送信元を特定する識別情報毎にデータ保護の要否及びデータ保護のパターンが登録された記憶手段に登録されている識別情報を照合するステップと、
データ保護が必要な受信データを前記データ保護のパターンに従って部分的に前記メモリに保存するステップとを備えるデータ保存方法。
【発明の詳細な説明】
【技術分野】
【０００１】
本発明は、通信端末で受信した電子メールや音声メッセージ等のデータをメモリに保存する際のメモリ制御技術に関する。
【背景技術】
【０００２】
携帯電話端末等の通信端末は、メモリ容量が小さいため、電子メールや音声メッセージ用の保存容量を超える場合は電子メールや音声メッセージのデータを削除しなければならない。そのため、新規に電子メールや音声メッセージを受信したときに保存容量を超過してしまう場合の対処方法が従来各種提案されている。その中には、ユーザへ容量不足を通知して、手動で選択、削除する方法や、古いデータから順番に、必要な容量を確保できるまで自動的に削除する方法などがある（特許文献１）。
【特許文献１】特開２００４−３６２０８２号公報
【発明の開示】
【発明が解決しようとする課題】
【０００３】
古いデータを自動的に削除する方法は、通常使用において特別な操作を要しないという利点がある一方で、削除したくない電子メールや音声メッセージがある場合には、削除対象から除外するために、ユーザ操作による保護設定が必要となる。しかし、保護したい電子メールや音声メッセージデータ１つ１つに対して保護設定を行わなければならず、それぞれの電子メール・音声メッセージに対して選択、確認、設定を行うのは手間がかかり煩わしいという課題がある。また、保護の設定は１通りしか用意されておらず、受信した電子メールや音声メッセージデータの全部を保護するものであった。そのため、例えば、ユーザが電子メールの本文だけ、あるいは添付データだけを部分的に保護したいと希望していても、それらだけを選択して保護することができないという課題もある。
【課題を解決するための手段】
【０００４】
本発明は、受信したデータをメモリに保存する機能を有する通信端末において、送信元を特定する識別情報毎にデータ保護の要否が登録された記憶手段と、受信したデータの容量が前記メモリの残容量を超える場合に、送信元の識別情報と前記記憶手段に登録された識別情報とを照合し、データ保護が不要な記録済みデータを前記メモリから削除した後、受信したデータを前記メモリに保存するメモリ制御手段とを備える。また、本発明は、通信端末に搭載したメモリを制御する方法において、受信したデータの容量が前記メモリの残容量を超える場合に、送信元を特定する識別情報毎にデータ保護の要否が登録された記憶手段に登録されている識別情報を照合するステップと、データ保護が不要な記録済みデータを前記メモリから削除するステップと、受信したデータを前記メモリに保存するステップとを備える。この構成によれば、受信したデータの容量がメモリの残容量を超える場合に、送信元の識別情報と送信元を特定する識別情報毎にデータ保護の要否が登録された記憶手段に登録された識別情報とを照合し、データ保護が不要な記録済みデータを前記メモリから削除することにより、メモリの空き容量を確保する際に、データ保護が不要なデータのみを削除することができる。
【０００５】
本発明は、受信したデータをメモリに保存する機能を有する通信端末において、送信元を特定する識別情報毎にデータ保護の要否及びデータ保護のパターンが登録された記憶手段と、受信したデータの容量が前記メモリの残容量を超える場合に、送信元の識別情報と前記記憶手段に登録された識別情報とを照合し、データ保護が必要な記録済みデータを前記データ保護のパターンに従って部分的に前記メモリから削除した後、受信したデータを前記メモリに保存するメモリ制御手段とを備える。また、本発明は、受信したデータを通信端末に搭載したメモリに保存する方法において、受信したデータの容量が前記メモリの残容量を超える場合に、送信元を特定する識別情報毎にデータ保護の要否及びデータ保護のパターンが登録された記憶手段に登録されている識別情報を照合するステップと、データ保護が必要な記録済みデータを前記データ保護のパターンに従って部分的に前記メモリから削除するステップと、受信したデータを前記メモリに保存するステップとを備える。この構成によれば、受信したデータの容量がメモリの残容量を超える場合に、送信元の識別情報と送信元を特定する識別情報毎にデータ保護の要否及びデータ保護のパターンが登録された記憶手段に登録された識別情報とを照合し、データ保護が必要な記録済みデータを前記メモリから部分的に削除することにより、メモリの空き容量を確保する際に、データ保護が必要なデータのうち特に必要な部分を残すことができる。
【０００６】
本発明は、受信したデータをメモリに保存する機能を有する通信端末において、送信元を特定する識別情報毎にデータ保護の要否及びデータ保護のパターンが登録された記憶手段と、受信したデータの容量が前記メモリの残容量を超える場合に、送信元の識別情報と前記記憶手段に登録された識別情報とを照合し、データ保護が必要な受信データを前記データ保護のパターンに従って部分的に前記メモリに保存するメモリ制御手段とを備える。また、本発明は、受信したデータを通信端末に搭載したメモリに保存する方法において、受信したデータの容量が前記メモリの残容量を超える場合に、送信元を特定する識別情報毎にデータ保護の要否及びデータ保護のパターンが登録された記憶手段に登録されている識別情報を照合するステップと、データ保護が必要な受信データを前記データ保護のパターンに従って部分的に前記メモリに保存するステップとを備える。この構成によれば、受信したデータの容量がメモリの残容量を超える場合に、送信元の識別情報と送信元を特定する識別情報毎にデータ保護の要否及びデータ保護のパターンが登録された記憶手段に登録された識別情報とを照合し、データ保護が必要な受信データを前記データ保護のパターンに従って部分的に前記メモリに保存することにより、受信データのうちデータ保護が必要な部分のみを選択して保存することで、メモリの空き容量が少ない場合でも適切に受信データを保存することができる。
【発明を実施するための最良の形態】
【０００７】
図１は本発明の実施の形態における通信端末の構成を示す図である。通信端末は、ＣＰＵ１０、制御機能部２０、メモリ３０、表示部４０、操作部５０及び無線部６０を備える。メモリ３０は、電子メールや音声メッセージデータを保存するための記憶手段である。メモリ３０には、電子メールや音声メッセージデータの他に、電子メールアドレスや電話番号等の送信元の識別情報をリストアップしたアドレス帳データも格納されており、本実施の形態では、電子メールや音声メッセージ等の受信データの保護／非保護の設定を、このアドレス帳を利用して事前に登録することができる。表示部４０は、電子メールの内容や操作部５０による操作内容を表示する。操作部５０は、ユーザによる設定動作等の入力手段である。無線部６０は、通信端末と基地局間で無線通信を行う公知の通信機能部で、通話や音声メッセージ、電子メールの送受信などを行う。
【０００８】
制御機能部２０は、保護設定部２１、保護パターン設定部２２、電子メール・音声メッセージ受信部２３、保存容量判定部２４、電子メール・音声メッセージ削除部２５及び電子メール・音声メッセージデータ保護設定部２６を備える。保護設定部２１は、予め選択した所定の電子メールアドレスや電話番号に対して保護／非保護の設定を行う。これにより、通信端末内が電子メールや音声メッセージを受信した際に当該データの保護／非保護が自動的に設定される。
【０００９】
尚、メモリ３０に空き容量がある場合に、通信端末が受信した電子メールや音声メッセージは、保護／非保護の設定に関わらず、全て一旦はメモリ３０に保存される。しかし、「保護」が設定された電子メールや音声メッセージは、その後、後述するデータの削除動作においても削除されずに保護される。一方、「非保護」が設定された電子メールや音声メッセージは、新規の電子メールや音声メッセージの保存ができない程度にメモリ３０の空き容量が少なくなった場合に、削除の対象となる。保護／非保護を設定する電子メールアドレスや電話番号データは、通信端末に付属の電話帳アプリケーションプログラムなどのデータを利用して設定すればよい。
【００１０】
保護パターン設定部２２は、「保護」設定のバリエーションを設定する。保護設定のパターンを電子メールを例として説明すると、（１）電子メール本文のみ保存、（２）本文をサイズ指定(例えば、１００文字まで等)して保存、（３）添付データのみ保存、（４）全てのデータを保存、などが考えられる。保護パターン設定部２２で保護パターンを選択すると、例えば、保存容量を超える電子メールを受信した際に、メモリ３０内の保護設定がなされた電子メールや音声メッセージデータについて設定した該当部分のみが保存され、それ以外のデータは削除される。
【００１１】
電子メール・音声メッセージ受信部２３は、無線部６０を介して電子メールや音声メッセージを受信する。受信時には、発信者の電子メールアドレスや電話番号情報も取得する。保存容量判定部２４は、電子メールや音声メッセージデータが格納されたメモリ３０の空き容量を判定する。電子メール・音声メッセージ削除部２５は、受信した電子メールまたは音声メッセージのデータ量とメモリ３０の空き容量に基づいて、後述する手順に従って、メモリ３０に保存されている古い電子メールや音声メッセージデータを削除する。電子メール・音声メッセージデータ保護設定部２６は、電子メールや音声メッセージの受信時に、電子メールアドレスまたは電話番号に対して予め登録された上記の保護／非保護の設定を参照し、対応する設定を行ってからデータの保存を行う。つまり、保護設定がされている場合には電子メールや音声メッセージデータに保護をかけて保存し、非保護設定である場合にはそのまま保存する。
【００１２】
図２は本発明の実施の形態における通信端末のデータ保存方法の手順を示すフローチャートである。電子メール・音声メッセージ受信部２３は、無線部６０を介して電子メールの受信通知を受信する（ステップＳ１０１）。また、受信した電子メールのデータサイズに係る情報も取得する（ステップＳ１０２）。
【００１３】
保存容量判定部２４は、現時点のメモリ３０の空き容量に係る情報を取得する（ステップＳ１０３）。更に、メモリ３０の空き容量と電子メールのデータサイズの比較を行い（ステップＳ１０４）、メモリ３０の空き容量が電子メールのデータサイズよりも大きい場合（ステップＳ１０４：Ｙｅｓ）、電子メールを受信し（ステップＳ１０５）、電子メール・音声メッセージデータ保護設定部２６は、保護設定部２１が登録している保護／非保護の設定リストを参照し、送信者の電子メールアドレスが「保護」に設定されているアドレスであるか否かを判断する（ステップＳ１０７）。保護対象である場合（ステップＳ１０７：Ｙｅｓ）、電子メールデータに保護設定を行ってから（ステップＳ１０８）、メモリ３０に保存する（ステップＳ１０９）。一方、非保護対象である場合（ステップＳ１０７：Ｎｏ）、電子メールデータに保護設定を付加せず電子メールデータがメモリ３０に保存される（ステップＳ１０９）。
【００１４】
一方、受信した電子メールのデータサイズがメモリ３０の空き容量よりも大きい場合（ステップＳ１０４：Ｎｏ）、電子メール・音声メッセージ削除部２５で、メモリ３０に保存している電子メール・音声メッセージデータの削除処理を行う（ステップＳ１０６）。
【００１５】
図３は電子メール・音声メッセージ削除部２５の電子メールデータ削除処理の手順を示すフローチャートである。電子メール・音声メッセージ削除部２５は、メモリ３０に格納されている電子メールデータのうち、記録日時が一番古いデータを取得する（ステップＳ２０１）。電子メール・音声メッセージ削除部２５は、電子メールを受信できる空き容量を確保できるまで以下の手順を繰り返す（ステップＳ２０２）。即ち、取得したデータについて保護設定の有無を判断し（ステップＳ２０３）、保護設定がある場合には、次に、保護パターン設定の有無を判断する（ステップＳ２０４）。
【００１６】
保護パターンが設定されている場合（ステップＳ２０４：Ｙｅｓ）、電子メール・音声メッセージ削除部２５は、メモリ３０に格納されている当該データを保護パターンに応じてそのまま保護し、それ以外のデータのみ削除する（ステップＳ２０５）。一方、保護パターンが設定されていない場合（ステップＳ２０４：Ｎｏ）、全てのデータが保護対象ということであるので、電子メール・音声メッセージ削除部２５は何の削除動作も行わない。保護の設定がなされていない場合（ステップＳ２０３：Ｎｏ）、電子メール・音声メッセージ削除部２５は、全てのデータを削除する（ステップＳ２０６）。
【００１７】
本実施の形態では、保護／非保護の登録が行われていないアドレスから受信した電子メールは、原則として非保護として扱うので、常にこのステップＳ２０６の手順を経て最も古いデータから削除される。つまり、実質的に従来通りのＦＩＦＯ方式で保存データの削除が行われる。
【００１８】
電子メール・音声メッセージ削除部２５は、削除により増加した空き容量を保存容量判定部２４で判定し、まだ空き容量が不足している場合には、次に記録日時が古いデータを取得する（ステップＳ２０７）。以上の手順で処理ループが構成され（ステップＳ２０８）、電子メール・音声メッセージ削除部２５は、受信した電子メールを保存するための空き容量が確保されるまで、ステップＳ２０２からステップＳ２０８までの手順を繰り返す。
【００１９】
上記Ｓ１０６の処理の後、電子メール音声メッセージ受信部２３は、次のメールを受信する（Ｓ１１０）。そして、該メールに保護設定がされているかどうか確認する（Ｓ１２０）。保護設定がされている場合（Ｙｅｓ）、Ｓ１４０にとび、保護パターンに応じた受信したメールの不要部分（非保護部分）を削除する。一方、保護設定がされていない場合（Ｓ１２０がＮｏ）は保護パターンに応じた保護設定を該メールに対し行った後（Ｓ１３０）、保護パターンに応じた受信したメールの不要部分（非保護部分）を削除する（Ｓ１４０）。そして、保護対象のメールデータを保存する（Ｓ１０９）。
【００２０】
図４は電子メールアドレスごとに設定された保護／非保護の登録の様子を概念的に示す図である。本実施の形態では、通信端末に付属のアドレス帳機能を利用して、電子メールを受信した場合のデータの保存について電子メールアドレスごとに保護／非保護の設定が可能である。また、保護については、（１）全てのデータを保存、（２）電子メール本文のみ保存、（３）添付データのみ保存、の３種類のパターンを設定可能としている。これらの設定は、通信端末のユーザが、表示部４０に表示されるリストを見ながら操作部５０を操作して手動で予め行う。
【００２１】
図４に示したような設定において電子メールを受信すると、図５から図８に示すように、メモリ３０の空き容量がなくなるまでは全ての受信データがそのまま保存される。つまり、非保護に設定した電子メールも、本文のみを保護設定にした電子メールの添付ファイルデータも、添付ファイルのみを保護設定にした電子メールの本文データも保存される。図５では、最も新しく保存されたのが豊田さんからの受信メールで、その前に本田さんの受信メールが保存されている様子を示している。
【００２２】
図６では、その後、佐藤さんからの受信メールが保存された様子を示している。図４に示すように、佐藤さんの電子メールアドレスは「全てのデータを保護」するように登録されているので、保存されたデータには対応する保護が設定されている。図７では、その後、鈴木さんからの受信メールが保存された様子を示している。図４に示すように、鈴木さんの電子メールアドレスは「メール本文のみ保護」するように登録されているので、保存されたデータには対応する保護が設定されている。尚、鈴木さんの電子メールには画像データが添付されているが、当該画像データも一緒に保存される。図８では、その後、高橋さんからの受信メールが保存された様子を示している。図４に示すように、高橋さんの電子メールアドレスは「添付ファイルのみ保護」するように登録されているので、保存されたデータには対応する保護が設定されている。尚、高橋さんの電子メールにも画像データが添付されていて、当該画像データも一緒に保存されている。
【００２３】
その後、蓄積したデータ量が多くなり、新規の電子メールデータを保存しきれなくなった場合、前述の手順で電子メール・音声メッセージ削除部２５が電子メールデータの削除を実行する。保存されている受信メールデータ全てに保護／非保護の設定がなされていない場合、電子メール・音声メッセージ削除部２５は、新規電子メールの保存に必要な空き容量が確保されるまで、記録時刻の最も古い受信メールデータから順番に削除する。図９は、最も古い時刻に保存された山田さんの受信メールの全データが削除された様子を示している。
【００２４】
一方、受信メールデータに保護設定がある場合には、たとえ記録時刻が一番古い受信メールデータであっても保護され、削除対象が繰り上がる。図１０は、山田さんの受信メールに「全て」を保護する設定がされているため、その１つ前の京セラさんの受信メールが削除された様子を示している。また、保護パターンが設定されている場合には、当該設定に対応するデータだけが保存される。図１１は、山田さんの受信メールに「添付ファイルのみ」を保護する設定がされているため、添付ファイルのみが保存され、メール本文データが削除された様子を示している。図１２は、山田さんの受信メールに「本文のみ」を保護する設定がされているため、メール本文データのみが保存され、添付ファイルが削除された様子を示している。
【００２５】
尚、「保護」設定のデータが蓄積してメモリ３０の空き容量が少なくなり、新規の電子メールの保存領域を確保しようとしても削除するデータがないような状態となった場合には、ユーザに報知、確認を求め、ＦＩＦＯ方式に従って古い「保護」設定データから削除するように設定してもよい。
【００２６】
上記実施の形態によれば、電子メールや音声メッセージ等のデータを受信した際に自動的に保護／非保護の設定が行われるので、受信データごとに個別の設定を行うことなく、必要なデータの保存を行うことができる。また、保護パターンを設定して必要なデータだけを選択的に保存できるため、メモリ容量を有効に活用できる。
【図面の簡単な説明】
【００２７】
【図１】本発明の実施の形態における通信端末の構成を示す図
【図２】本発明の実施の形態における通信端末のデータ保存方法の手順を示すフローチャート
【図３】電子メール・音声メッセージ削除部の電子メールデータ削除処理の手順を示すフローチャート
【図４】電子メールアドレスごとに設定された保護／非保護の登録の様子を概念的に示す図
【図５】受信したメールのデータが保存される様子を概念的に示す図
【図６】受信したメールのデータが保存される様子を概念的に示す図
【図７】受信したメールのデータが保存される様子を概念的に示す図
【図８】受信したメールのデータが保存される様子を概念的に示す図
【図９】空き容量不足が発生した場合におけるデータ削除の様子を概念的に示す図（保護／非保護設定なし）
【図１０】空き容量不足が発生した場合におけるデータ削除の様子を概念的に示す図（全て保護）
【図１１】空き容量不足が発生した場合におけるデータ削除の様子を概念的に示す図（添付ファイルのみ保護）
【図１２】空き容量不足が発生した場合におけるデータ削除の様子を概念的に示す図（電子メール本文のみ保護）
【符号の説明】
【００２８】
１０  ＣＰＵ
２０  制御機能部
２１  保護設定部
２２  保護パターン設定部
２３  電子メール・音声メッセージ受信部
２４  保存容量判定部
２５  電子メール・音声メッセージ削除部
２６  電子メール・音声メッセージデータ保護設定部
３０  メモリ
４０  表示部
５０  操作部
６０  無線部
【図１】
2008210270.tif 000003
【図２】
2008210270.tif 000004
【図３】
2008210270.tif 000005
【図４】
2008210270.tif 000006
【図５】
2008210270.tif 000007
【図６】
2008210270.tif 000008
【図７】
2008210270.tif 000009
【図８】
2008210270.tif 000010
【図９】
2008210270.tif 000011
【図１０】
2008210270.tif 000012
【図１１】
2008210270.tif 000013
【図１２】
2008210270.tif 000014